(57)【要約】【課題】  小型化しても機器本体の外装体の側面の過熱や温風吹出口での高温の温風の集中吹き出しを防止できる温風暖房機を提供する。【解決手段】  送風ボックスの側面部と燃焼筒との間の隙間で温風暖房機本体の側面板に隣接する側に邪魔板を設けると共に、燃焼筒の略正面上方で邪魔板と反対側に燃焼筒の一部を切り欠いて低くなっている切り欠き部を形成したので、邪魔板を設けた側が反対側より負圧となって燃焼筒から吹き出す高温の燃焼ガスが邪魔板を設けた側に引っ張られ、更に多くの高温の燃焼ガスが燃焼筒上方の開口部分から吹き出さずに切り欠き部から横方向に吹き出すので、その切り欠き部から吹き出した高温の燃焼ガスが邪魔板を設けた側に引っ張られ、反対側の送風ボックスの側面部が過熱されるのを防止できると共に、送風ボックス正面から吹き出す温風が幅も広くなり、高温の温風が集中して吹き出すのを防止できる。【選択図】  図７
2006084124.tif 000002
【特許請求の範囲】
【請求項１】
気化した燃料と空気とを混合し、該混合気を上部のバーナヘッドにて燃焼させるバーナ部と、前記バーナ部のバーナヘッドが上面に突出するようにバーナ部を取り付けた燃焼筒基板と、上面に突出したバーナヘッドを覆うように燃焼筒基板の上面に設けられた筒状の燃焼筒と、該燃焼筒を覆うように燃焼筒基板に取り付けられる送風ボックスカバー部とからなり、正面には送風流出部が開口され、背面には送風流入部が開口された送風ボックスを温風暖房機本体内に内蔵し、該送風ボックスの背面に設けた対流ファンからの送風空気と燃焼筒からの燃焼ガスを混合して温風として吹き出す温風暖房機に於いて、前記送風ボックスの側面部と燃焼筒との間の隙間で温風暖房機本体の側面板に隣接する側に邪魔板を設けると共に、前記燃焼筒の略正面上方で邪魔板と反対側に燃焼筒の一部を切り欠いて低くなっている切り欠き部を形成したことを特徴とする温風暖房機。
【請求項２】
前記燃焼筒上方の開口部分の一部を塞ぐ蓋状部と、該蓋状部の端から燃焼筒の後方に向かって斜めに切り上がりっている切り上がり部とからなり、該切り上がり部の邪魔板の反対側には邪魔板側よりも高くした突出部を設けた蓋部を燃焼筒の上方の開口部分に設けたことを特徴とする請求項１記載の温風暖房機。
【請求項３】
前記燃焼筒基板の正面側で、燃焼筒の切り欠き部の手前の位置に板状の整流板を設けたことを特徴とする請求項２記載の温風暖房機。
【発明の詳細な説明】
【技術分野】
【０００１】
本発明は、灯油等の燃料の燃焼によって発生する燃焼ガスと送風用空気を混合して温風として送風することで暖房を行う温風暖房機に関するものである。
【背景技術】
【０００２】
従来よりこの種の温風暖房機に於いては、図８に示すように１０１は温風暖房機本体で、１０２は温風を案内するルーバ１０３が取り付けられた温風吹出口、１０４は背面の温風取入口１０５にファンガード１０６を介して取り付けられた対流ファン、１０７は前記温風取入口１０５と温風吹出口１０２とを連通する送風ボックス、１０８は前記送風ボックス１０７内にバーナヘッド１０９を突出して設けられたバーナ部、１１０は前記バーナヘッド１０９を囲堯して燃焼空間を形成する燃焼筒、１１１は前記送風ボックス７内で前記燃焼筒１１０の真上に配設された遮熱板で、前記バーナ部１０８は燃焼筒基板１１２の底部に固定されていると共にそのバーナヘッド１０９は燃焼筒基板１１２の上面に突出し、その突出したバーナヘッド１０９を囲堯するように燃焼筒１１０が燃焼筒基板１１２の上面に固定されているものである。
【０００３】
又前記機器本体１０１の外装体は、前面を覆う前パネル１１３と、上面を覆う上面板１１４と、側面及び背面を覆う背面板１１５とを置き台１１６の上に固定して構成されている。
【０００４】
次に１１７は燃焼用空気を送風管１１８を介してバーナ部１０８へ送風する燃焼ファンで、カートリッジ式タンク（図示せず）からの燃料を一時的に溜め置く固定タンク（図示せず）内の燃料を、電磁ポンプにて送油管（図示せず）及び送油ノズル（図示せず）を介してバーナ部１０８へ圧送して気化させ、その気化ガスと燃焼ファン１１７からの燃焼用空気を混合させた後、その混合気を燃焼するものである。
【０００５】
ところで従来の温風暖房機に於いては、燃焼筒１１０の直径に対して燃焼筒基板１１２や送風ボックス１０７の寸法が大きく、燃焼筒１１０から送風ボックス１０７の側面までの距離が充分あるので、その燃焼筒１１０から送風ボックス１０７の側面までの間を対流ファン１０４からの送風空気が充分に通り抜け、送風ボックス１０７の側面を過熱することがなかった。
【０００６】
又送風ボックス１０７の側面と機器本体１０１の外装体の側面との間隔も広かったので、機器本体１０１の外装体の側面が過熱されることがなかった。
【０００７】
又送風ボックス１０７の寸法が大きいことにより、送風ボックス１０７から吹き出す温風の幅も広く、温風が機器本体１０１の温風吹出口１０２から機器本体１０１外に吹き出す時も、温風の温度の偏りがない状態で温風吹出口１０２の幅に広がって温風が吹き出していた。
【０００８】
ところで温風暖房機を小型化すると、機器本体１０１が小さくなるほど送風ボックス１０７も小さくなり、そのため燃焼筒１１０から送風ボックス１０７の側面までの距離が短くなり、それにより燃焼筒１１０からの熱が送風ボックス１０７の側面に伝わりやすくなると共に、燃焼筒１１０から送風ボックス１０７の側面までの間を対流ファン１０４からの送風空気が通り抜けにくくなるため、送風ボックス１０７の側面が過熱される課題があった。
【０００９】
又温風暖房機を小型化することで、送風ボックス１０７の側面と機器本体１０１の外装体の側面との間隔も狭くなるので、機器本体１０１の外装体の側面が送風ボックス１０７からの熱で過熱され、又送風ボックス１０７が小さくなることで送風ボックス１０７から吹き出す温風の幅が短くなり、温風が機器本体１０１の温風吹出口１０２から機器本体１０１外に吹き出す時、温風吹出口１０２で送風ボックス１０７の中心付近に位置する部分に高温の温風が集中して吹き出す課題があった。
【００１０】
又温風暖房機を小型化することで、燃焼筒１１０内の二次火炎が燃焼筒１１０の出口付近まで伸びて二次火炎の急激な冷却により二酸化窒素が大量に発生してしまう課題があった。
【００１１】
そこで燃焼筒の出口部分において対流ファンの旋回方向に対してその起風側に燃焼筒の出口部分よりも上方に突出する防風壁を設けたものがある。
【００１２】
【特許文献１】特開平０４−１５５１５２号公報
【発明の開示】
【発明が解決しようとする課題】
【００１３】
しかし、この従来のものでは、二次火炎の急激な冷却を防止して二酸化窒素が大量に発生してしまうのを防止する効果はあるが、温風暖房機を小型化することによる送風ボックス１０７の側面の過熱や機器本体１０１の外装体の側面の過熱、温風吹出口１０２での高温の温風の集中吹き出し等の課題は解決できていなかった。
【課題を解決するための手段】
【００１４】
そこで、本発明は前記課題を解決するため、請求項１では、気化した燃料と空気とを混合し、該混合気を上部のバーナヘッドにて燃焼させるバーナ部と、前記バーナ部のバーナヘッドが上面に突出するようにバーナ部を取り付けた燃焼筒基板と、上面に突出したバーナヘッドを覆うように燃焼筒基板の上面に設けられた筒状の燃焼筒と、該燃焼筒を覆うように燃焼筒基板に取り付けられる送風ボックスカバー部とからなり、正面には送風流出部が開口され、背面には送風流入部が開口された送風ボックスを温風暖房機本体内に内蔵し、該送風ボックスの背面に設けた対流ファンからの送風空気と燃焼筒からの燃焼ガスを混合して温風として吹き出す温風暖房機に於いて、前記送風ボックスの側面部と燃焼筒との間の隙間で温風暖房機本体の側面板に隣接する側に邪魔板を設けると共に、前記燃焼筒の略正面上方で邪魔板と反対側に燃焼筒の一部を切り欠いて低くなっている切り欠き部を形成したものである。
【００１５】
又請求項２に係る温風暖房機では、特にその構成を、請求項１に於いて、前記燃焼筒上方の開口部分の一部を塞ぐ蓋状部と、該蓋状部の端から燃焼筒の後方に向かって斜めに切り上がりっている切り上がり部とからなり、該切り上がり部の邪魔板の反対側には邪魔板側よりも高くした突出部を設けた蓋部を燃焼筒の上方の開口部分に設けたものである。
【００１６】
又請求項３に係る温風暖房機では、特にその構成を、請求項２に於いて、前記燃焼筒基板の正面側で、燃焼筒の切り欠き部の手前の位置に板状の整流板を設けたものである。
【発明の効果】
【００１７】
この発明の請求項１によれば、送風ボックスの側面部と燃焼筒との間の隙間で温風暖房機本体の側面板に隣接する側に邪魔板を設けることで、送風ボックス後方の対流ファンからの送風が邪魔板を設けた側が反対側より通過しにくくなり、それにより邪魔板を設けた側が負圧となって燃焼筒から吹き出す高温の燃焼ガスが邪魔板を設けた側に引っ張られ、反対側の送風ボックスの側面部が過熱されるのを防止できると共に、送風ボックス正面から吹き出す温風が幅も広くなり、高温の温風が集中して吹き出すのを防止できるものである。
【００１８】
更に前記燃焼筒の略正面上方で邪魔板と反対側に燃焼筒の一部を切り欠いて低くなっている切り欠き部を形成したことで、高温の燃焼ガスの多くが燃焼筒上方の開口部分から吹き出す前に切り欠き部に向かって流れ、切り欠き部から燃焼筒の横方向に吹き出し、それにより高温の燃焼ガスの多くが邪魔板を設けた側に引っ張られ、反対側の送風ボックスの側面部が過熱されるのを防止できると共に、送風ボックス正面から吹き出す温風が幅も広くなり、高温の温風が集中して吹き出すのを防止できるものである。
【００１９】
又本発明の請求項２に記載の温風暖房機によれば、請求項１に於いて、燃焼筒上方の開口部分の一部を塞ぐ蓋状部と、該蓋状部の端から燃焼筒の後方に向かって斜めに切り上がりっている切り上がり部とからなり、該切り上がり部の邪魔板の反対側には邪魔板側よりも高くした突出部を設けた蓋部を燃焼筒の上方の開口部分に設けたことで、単に燃焼筒に切り欠き部を設けるよりも、蓋状部により燃焼筒上方の開口部分に燃焼ガスが吹き出すのを規制しつつ、突出部を設けた切り上がり部により燃焼ガスのより多くが切り欠き部に案内されるので、高温の燃焼ガスのより多くが邪魔板を設けた側に引っ張られ、反対側の送風ボックスの側面部が過熱されるのをより防止できると共に、送風ボックス正面から吹き出す温風が幅もより広くなり、高温の温風が集中して吹き出すのを防止できるものである。
【００２０】
又本発明の請求項３に記載の温風暖房機によれば、請求項２に於いて、燃焼筒基板の正面側で、燃焼筒の切り欠き部の手前の位置に板状の整流板を設けたことで、切り欠き部から燃焼筒の横方向に吹き出した燃焼ガスが切り欠き部側の送風ボックスの側面部に吹き出すのを規制して燃焼ガスを邪魔板側に案内すると共に、送風ボックス背面から正面に向かって流れる対流ファンからの送風が切り欠き部側の送風ボックスの側面部と燃焼筒との間をスムーズに流れるようになり、それにより切り欠き部側の送風ボックスの側面部が過熱されず、切り欠き部側の送風ボックスに接近している温風暖房機本体の外装体の側面が過熱されるのを防止できると共に、送風ボックス正面から吹き出す温風が幅も広くなり、高温の温風が集中して吹き出すのを防止できるものである。
【発明を実施するための最良の形態】
【００２１】
次に、本発明に係る発明の一実施例を図面に基づいて説明する。
１は温風暖房機本体で、２は前面上部に備えられた操作部、３は温風を案内するルーバ４が取り付けられた温風吹出口、５は背面の温風取入口６にファンガード７を介して取り付けられた対流ファン、８は前記温風取入口６と温風吹出口３とを連通する送風ボックス、９は前記送風ボックス８内にバーナヘッド１０を突出して設けられたバーナ部、１１は前記バーナヘッド１０を囲堯して燃焼空間を形成する燃焼筒、１２は前記送風ボックス８内で前記燃焼筒１１の真上に配設された遮熱板で、前記バーナ部９と燃焼筒１１は燃焼筒基板１３に取り付けられ、そのバーナ部９と燃焼筒１１が取り付けられた燃焼筒基板１３が送風ボックス８に取り付けられるものである。
【００２２】
前記機器本体１の外装体は、前面を覆う前パネル１４と、上面を覆う上面板１５と、側面及び背面を覆う背面板１６とを置き台１７の上に固定して構成されている。
【００２３】
次に１８は灯油などの液体燃料を供給するカートリッジ式タンク、１９はこのカートリッジ式タンク１８からの燃料を一時的に溜め置く固定タンク、２０は固定タンク１９内の燃料を送油管２１介してバーナ部９へ圧送する電磁ポンプ、２２は燃焼用空気を送風管２３を介して送風する燃焼ファンである。
【００２４】
次に送風ボックス８の構造について説明する。  
前記送風ボックス８は、バーナ部９と燃焼筒１１が取り付けられた燃焼筒基板１３に、左右の側面部２４、２５と天板部２６からなる断面コの字状ので送風ボックスカバー部２７が取り付けられたもので、送風ボックス８の正面と背面は開口されていて、背面には温風取入口６からの送風が流入する送風流入部２８、正面には温風吹出口３へ温風を流出する送風流出部２９が形成されている。
【００２５】
又前記燃焼筒１１の正面左側に燃焼筒１１の一部を切り欠いて低くなっている切り欠き部３０が形成され、該切り欠き部３０には燃焼筒１１上方の燃焼ガス吹き出し口３１の約半分を塞ぐ蓋部３２が取り付けられている。
【００２６】
前記蓋部３２は燃焼筒１１の手前約三分の一を完全に塞ぐ蓋状部３３と、該蓋状部３３の端から燃焼筒１１の後方に向かって斜めに切り上がっている切り上がり部３４とからなり、該切り上がり部３４は正面左側約半分が高い突出部３５を形成しているものである。
【００２７】
又前記燃焼筒基板１３には、燃焼筒１１正面より手前で燃焼筒１１の中心と送風ボックスカバー部２７の正面左側の側面部２４との略中間の位置に板状の整流板３６が送風ボックス８の送風流入部２８から送風流出部２９方向に設けられているものである。
【００２８】
又送風ボックスカバー部２７の正面右側の側面部２５には、バーナ部９と燃焼筒１１が取り付けられた燃焼筒基板１３を取り付けた時に、燃焼筒１１の正面から見て右側後方の開口部分の一部を塞ぐように邪魔板３７が設けられ、該邪魔板３７は燃焼筒１１と接触しないように上方に行くにしたがって燃焼筒１１の左後方部分に近づくように斜めに設けられていると共に、上方に行くにしたがって幅が短くなっており、略直角三角形状の形状をしているものである。
【００２９】
次に暖房運転時の燃焼状態について説明する。
バーナ部９で電磁ポンプ２０から圧送された燃料が気化すると共に、その気化ガスに燃焼ファン２２からの燃焼用空気が混合して混合気となり、その混合気がバーナヘッド１０から吹き出し、この吹き出した混合気を着火することによりバーナヘッド１０にて炎が発生して混合気が燃焼する。
【００３０】
燃焼ガスは燃焼筒１１上方に向かって流れるが、その燃焼ガスの多くが燃焼筒１１上方に吹き出す前に、蓋部３２の切り上がり部３４の右側の低い部分から切り欠き部３０に向かって流れ、切り欠き部３０から燃焼筒１１の横方向に吹き出すものである。
【００３１】
そして燃焼筒１１の正面から見て右側後方の開口部分の一部を塞ぐように設けられた邪魔板３７により、送風ボックス８背面から正面に向かって流れる対流ファン５からの送風が、送風ボックス８正面から見て右側が左側より少なくなるので送風ボックス８正面から見て右側が左側より負圧となり、切り欠き部３０から燃焼筒１１の横方向に吹き出した燃焼ガスは、送風ボックス８正面から見て右側から左側に向かって引っ張られるもので、それにより送風ボックスカバー部２７の正面左側の側面部２４が切り欠き部３０から燃焼筒１１の横方向に吹き出す燃焼ガスにより過熱されず、又送風ボックス８正面から吹き出す温風が幅も広くなり、中心付近に高温の温風が集中するのを防止できるものである。
【００３２】
更に燃焼筒基板１３で燃焼筒１１正面より手前で燃焼筒１１の中心と送風ボックスカバー部２７の正面左側の側面部２４との略中間の位置に設けた板状の整流板３６により、切り欠き部３０から燃焼筒１１の横方向に吹き出した燃焼ガスが送風ボックス８正面から見て左側に流れるのを規制して整流板３６の右側、つまり送風ボックス８正面から見て右側により多く燃焼ガスを案内すると共に、送風ボックス８背面から正面に向かって流れる対流ファン５からの送風が送風ボックスカバー部２７の正面左側の側面部２４と燃焼筒１１との間をスムーズに流れるようになり、それにより送風ボックスカバー部２７の正面左側の側面部２４が過熱されず、温風暖房機本体１の外装体の側面が過熱されるのを防止できるものである。
【図面の簡単な説明】
【００３３】
【図１】この発明の一実施形態の概略斜視図。
【図２】同温風暖房機の概略断面図。
【図３】同前パネルを外した状態での正面図。
【図４】同送風ボックスの斜視図。
【図５】同送風ボックスの背面図。
【図６】同燃焼筒を取り付けた状態の燃焼筒基板の斜視図。
【図７】同接燃焼筒を取り付けた状態の燃焼筒基板の平面図。
【図８】従来温風暖房機の概略断面図。
【符号の説明】
【００３４】
１    温風暖房機本体
５    対流ファン
８    送風ボックス
９    バーナ部
１０  バーナヘッド
１１  燃焼筒
１３  燃焼筒基板
２４、２５  側面部
２７  送風ボックスカバー部
２８  送風流入部
２９  送風流出部
３０  切り欠き部
３７  邪魔板
【図１】
2006084124.tif 000003
【図２】
2006084124.tif 000004
【図３】
2006084124.tif 000005
【図４】
2006084124.tif 000006
【図５】
2006084124.tif 000007
【図６】
2006084124.tif 000008
【図７】
2006084124.tif 000009
【図８】
2006084124.tif 000010